【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
第1のワイヤレスデバイスによるワイヤレス通信の方法であって、
近隣認識ネットワーキング(NAN)データリンク(NDL)を通じてサービスと関連付けられるデータを通信するためのマルチキャストスケジュールを決定するステップと、
少なくとも1つの他のワイヤレスデバイスに前記マルチキャストスケジュールと、前記マルチキャストスケジュールが、前記サービスへのサブスクリプションを要求している他のワイヤレスデバイスへの伝播のためのものであることを示す情報とを送信するステップと、
を備える、方法。
【請求項２】
前記第1のワイヤレスデバイスが前記サービスのためのサービスアンカーであり、前記サービスアンカーが前記サービスと関連付けられる前記マルチキャストスケジュールを通信することを担う単独のエンティティである、
請求項1に記載の方法。
【請求項３】
前記第1のワイヤレスデバイスが前記サービスをパブリッシュしない、
請求項2に記載の方法。
【請求項４】
前記サービスのための前記NDLを開始するための要求を前記少なくとも1つの他のワイヤレスデバイスから受信するステップをさらに備え、前記マルチキャストスケジュールが不変のスケジュールである、
請求項1に記載の方法。
【請求項５】
前記マルチキャストスケジュールを通信することについての前記第1のワイヤレスデバイスの可用性に基づいて、前記サービスが別のワイヤレスデバイスによるサブスクリプションに利用可能なままである、
請求項1に記載の方法。
【請求項６】
前記マルチキャストスケジュールが前記サービスへのサブスクリプションを要求している他のワイヤレスデバイスへの伝播のためのものであることを示す前記情報をメッセージにおいて送信するステップをさらに備える、
請求項1に記載の方法。
【請求項７】
前記マルチキャストスケジュールが前記サービスのインスタンスと関連付けられ、前記マルチキャストスケジュールが前記サービスの異なるインスタンスと関連付けられるマルチキャストスケジュールのセットと異なる、
請求項6に記載の方法。
【請求項８】
前記マルチキャストスケジュールを示すメッセージを受信するステップをさらに備え、前記マルチキャストスケジュールが前記受信されたメッセージに基づいて決定される、
請求項1に記載の方法。
【請求項９】
前記メッセージが、前記マルチキャストスケジュールが前記サービスへのサブスクリプションを要求している他のワイヤレスデバイスへの伝播のためのものであることを示す前記情報を含む、
請求項8に記載の方法。
【請求項１０】
前記サービスが1対多数のサービスであるか多数対多数のサービスであるかをサービス初期化の間に決定するステップをさらに備える、
請求項1に記載の方法。
【請求項１１】
前記マルチキャストスケジュールが、前記サービスに関するサービス識別子およびサービスインスタンス識別子と関連付けられる、
請求項1に記載の方法。
【請求項１２】
前記サービスが1対多数のサービスであるか多数対多数のサービスであるかを、データリンク初期化プリミティブを通じたサービス初期化の間に、アプリケーション層またはサービス層から示すステップをさらに備える、
請求項1に記載の方法。
【請求項１３】
前記サービスと関連付けられるマルチキャスト識別子を含むトラフィック告知を送信するステップをさらに備え、前記トラフィック告知が、データが前記サービスのために送信されることを示す、
請求項1に記載の方法。
【請求項１４】
第1のワイヤレスデバイスによるワイヤレス通信の方法であって、
近隣認識ネットワーキング(NAN)データリンク(NDL)を通じてサービスと関連付けられるデータを通信するためのマルチキャストスケジュールを要求するために第1のメッセージを第2のワイヤレスデバイスに送信するステップと、
前記送信されたメッセージに基づいて前記第2のワイヤレスデバイスから第2のメッセージを受信するステップとを備え、前記第2のメッセージが、前記NDLを通じて前記サービスと関連付けられるデータを通信するための前記マルチキャストスケジュールと、前記マルチキャストスケジュールが、前記サービスへのサブスクリプションを要求している他のワイヤレスデバイスへの伝播のためのものであることを示す情報とを含む、ステップと、
を備える、方法。
【請求項１５】
前記マルチキャストスケジュールが前記サービスのサービス提供者から受け継がれる、
請求項14に記載の方法。
【請求項１６】
前記第1のワイヤレスデバイスが、前記NDLに参加することについて前記第2のワイヤレスデバイスから認証を得ることに成功した後で、前記NDLに参加することについて第3のワイヤレスデバイスを認証することが許可される、
請求項14に記載の方法。
【請求項１７】
前記第2のワイヤレスデバイスによって認証された後で共通グループ鍵(CGK)を受信するステップをさらに備え、前記CGKが、前記NDLと関連付けられるグループアドレス指定されたトラフィックを暗号化および復号するための単一認証グループの権限を有効にする、
請求項14に記載の方法。
【請求項１８】
前記マルチキャストスケジュールが不変のスケジュールである、
請求項14に記載の方法。
【請求項１９】
前記第2のワイヤレスデバイスが前記サービスのためのサービスアンカーであり、前記第2のワイヤレスデバイスが前記サービスと関連付けられる前記マルチキャストスケジュールを通信することを担う単独のエンティティである、
請求項14に記載の方法。
【請求項２０】
前記サービスが1対多数のサービスであるか多数対多数のサービスであるかをサービス初期化の間に決定するステップをさらに備える、
請求項14に記載の方法。
【請求項２１】
前記サービスが1対多数のサービスであるか多数対多数のサービスであるかを、データリンク初期化プリミティブを通じたサービス初期化の間に、アプリケーション層またはサービス層から示すステップをさらに備える、
請求項14に記載の方法。
【請求項２２】
マルチキャストサービスと関連付けられるマルチキャスト識別子を含むトラフィック告知を受信するステップをさらに備え、前記トラフィック告知が、データが前記マルチキャストサービスのために送信されることを示す、
請求項14に記載の方法。
【請求項２３】
前記受信されたトラフィック告知に基づいてスリープモードに入るかどうかを決定するステップをさらに備える、
請求項22に記載の方法。
【請求項２４】
ワイヤレス通信のための装置であって、
近隣認識ネットワーキング(NAN)データリンク(NDL)を通じてサービスと関連付けられるデータを通信するためのマルチキャストスケジュールを決定するための手段と、
少なくとも1つの他のワイヤレスデバイスに、前記マルチキャストスケジュールと、前記マルチキャストスケジュールが、前記サービスへのサブスクリプションを要求している他のワイヤレスデバイスへの伝播のためのものであることを示す情報とを送信するための手段と、
を備える、装置。
【請求項２５】
前記サービスのためのサービスアンカーであり、前記サービスアンカーが前記サービスと関連付けられる前記マルチキャストスケジュールを通信することを担う単独のエンティティである、
請求項24に記載の装置。
【請求項２６】
前記サービスをパブリッシュしない、
請求項25に記載の装置。
【請求項２７】
前記サービスのための前記NDLを開始するための要求を前記少なくとも1つの他のワイヤレスデバイスから受信するための手段をさらに備え、前記マルチキャストスケジュールが不変のスケジュールである、
請求項24に記載の装置。
【請求項２８】
前記マルチキャストスケジュールを通信することについての前記装置の可用性に基づいて、前記サービスが別のワイヤレスデバイスによるサブスクリプションに利用可能なままである、
請求項24に記載の装置。
【請求項２９】
前記マルチキャストスケジュールが、前記サービスへのサブスクリプションを要求している他のワイヤレスデバイスへの伝播のためのものであることを示す前記情報を送信するための手段が、前記マルチキャストスケジュールが前記サービスへのサブスクリプションを要求している他のワイヤレスデバイスへの伝播のためのものであることを示す前記情報をメッセージにおいて送信するように構成される、
請求項24に記載の装置。
【請求項３０】
前記マルチキャストスケジュールが前記サービスのインスタンスと関連付けられ、前記マルチキャストスケジュールが前記サービスの異なるインスタンスと関連付けられるマルチキャストスケジュールのセットと異なる、
請求項29に記載の装置。
【請求項３１】
前記マルチキャストスケジュールを示すメッセージを受信するための手段をさらに備え、前記マルチキャストスケジュールが前記受信されたメッセージに基づいて決定される、
請求項24に記載の装置。
【請求項３２】
前記メッセージが、前記マルチキャストスケジュールが前記サービスへのサブスクリプションを要求している他のワイヤレスデバイスへの伝播のためのものであることを示す前記情報を含む、
請求項31に記載の装置。
【請求項３３】
前記サービスが1対多数のサービスであるか多数対多数のサービスであるかをサービス初期化の間に決定するための手段をさらに備える、
請求項24に記載の装置。
【請求項３４】
前記マルチキャストスケジュールが、前記サービスに関する、サービス識別子およびサービスインスタンス識別子と関連付けられる、
請求項24に記載の装置。
【請求項３５】
前記サービスが1対多数のサービスであるか多数対多数のサービスであるかを、データリンク初期化プリミティブを通じたサービス初期化の間に、アプリケーション層またはサービス層から示すための手段をさらに備える、
請求項24に記載の装置。
【請求項３６】
前記サービスと関連付けられるマルチキャスト識別子を含むトラフィック告知を送信するための手段をさらに備え、前記トラフィック告知が、データが前記サービスのために送信されることを示す、
請求項24に記載の装置。
【請求項３７】
ワイヤレス通信のための装置であって、
近隣認識ネットワーキング(NAN)データリンク(NDL)を通じてサービスと関連付けられるデータを通信するためのマルチキャストスケジュールを要求するために第1のメッセージを第1のワイヤレスデバイスに送信するための手段と、
前記送信されたメッセージに基づいて前記第1のワイヤレスデバイスから第2のメッセージを受信するための手段であって、前記第2のメッセージが、前記NDLを通じて前記サービスと関連付けられるデータを通信するための前記マルチキャストスケジュールと、前記マルチキャストスケジュールが、前記サービスへのサブスクリプションを要求している他のワイヤレスデバイスへの伝播のためのものであることを示す情報とを含む、手段と、
を備える、装置。
【請求項３８】
前記マルチキャストスケジュールが前記サービスのサービス提供者から受け継がれる、
請求項37に記載の装置。
【請求項３９】
前記NDLに参加することについて前記第1のワイヤレスデバイスから認証を得ることに成功した後で、前記NDLに参加することについて第3のワイヤレスデバイスを認証することが許可される、
請求項37に記載の装置。
【請求項４０】
前記第1のワイヤレスデバイスによって認証された後で共通グループ鍵(CGK)を受信するための手段をさらに備え、前記CGKが、前記NDLと関連付けられるグループアドレス指定されたトラフィックを暗号化および復号するための単一認証グループの権限を有効にする、
請求項37に記載の装置。
【請求項４１】
前記マルチキャストスケジュールが不変のスケジュールである、
請求項37に記載の装置。
【請求項４２】
前記第1のワイヤレスデバイスが前記サービスのためのサービスアンカーであり、前記第1のワイヤレスデバイスが前記サービスと関連付けられる前記マルチキャストスケジュールを通信することを担う単独のエンティティである、
請求項37に記載の装置。
【請求項４３】
前記サービスが1対多数のサービスであるか多数対多数のサービスであるかをサービス初期化の間に決定するための手段をさらに備える、
請求項37に記載の装置。
【請求項４４】
前記サービスが1対多数のサービスであるか多数対多数のサービスであるかを、データリンク初期化プリミティブを通じたサービス初期化の間に、アプリケーション層またはサービス層から示すための手段をさらに備える、
請求項37に記載の装置。
【請求項４５】
マルチキャストサービスと関連付けられるマルチキャスト識別子を含むトラフィック告知を受信するための手段をさらに備え、前記トラフィック告知が、データが前記マルチキャストサービスのために送信されることを示す、
請求項37に記載の装置。
【請求項４６】
前記受信されたトラフィック告知に基づいてスリープモードに入るかどうかを決定するための手段をさらに備える、
請求項45に記載の装置。
【請求項４７】
ワイヤレス通信のための装置であって、
メモリと、
前記メモリに結合された少なくとも1つのプロセッサとを備え、前記少なくとも1つのプロセッサが、
近隣認識ネットワーキング(NAN)データリンク(NDL)を通じてサービスと関連付けられるデータを通信するためのマルチキャストスケジュールを決定することと、
少なくとも1つの他のワイヤレスデバイスに前記マルチキャストスケジュールと、前記マルチキャストスケジュールが、前記サービスへのサブスクリプションを要求している他のワイヤレスデバイスへの伝播のためのものであることを示す情報とを送信することと、
を行うように構成される、装置。
【請求項４８】
前記サービスのためのサービスアンカーであり、前記サービスアンカーが前記サービスと関連付けられる前記マルチキャストスケジュールを通信することを担う単独のエンティティである、
請求項47に記載の装置。
【請求項４９】
前記サービスをパブリッシュしない、
請求項48に記載の装置。
【請求項５０】
前記少なくとも1つのプロセッサが、前記サービスのための前記NDLを開始するための要求を前記少なくとも1つの他のワイヤレスデバイスから受信するようにさらに構成され、前記マルチキャストスケジュールが不変のスケジュールである、
請求項47に記載の装置。
【請求項５１】
前記マルチキャストスケジュールを通信することについての前記装置の可用性に基づいて、前記サービスが別のワイヤレスデバイスによるサブスクリプションに利用可能なままである、
請求項47に記載の装置。
【請求項５２】
前記マルチキャストスケジュールが前記サービスへのサブスクリプションを要求している他のワイヤレスデバイスへの伝播のためのものであることを示す前記情報を送信することであって、前記少なくとも1つのプロセッサが、前記マルチキャストスケジュールが前記サービスへのサブスクリプションを要求している他のワイヤレスデバイスへの伝播のためのものであることを示す前記情報をメッセージにおいて送信するように構成される、
請求項47に記載の装置。
【請求項５３】
前記マルチキャストスケジュールが前記サービスのインスタンスと関連付けられ、前記マルチキャストスケジュールが前記サービスの異なるインスタンスと関連付けられるマルチキャストスケジュールのセットと異なる、
請求項52に記載の装置。
【請求項５４】
前記少なくとも1つのプロセッサが、前記マルチキャストスケジュールを示すメッセージを受信するようにさらに構成され、前記マルチキャストスケジュールが前記受信されたメッセージに基づいて決定される、
請求項47に記載の装置。
【請求項５５】
前記メッセージが、前記マルチキャストスケジュールが前記サービスへのサブスクリプションを要求している他のワイヤレスデバイスへの伝播のためのものであることを示す前記情報を含む、
請求項54に記載の装置。
【請求項５６】
前記少なくとも1つのプロセッサが、前記サービスが1対多数のサービスであるか多数対多数のサービスであるかをサービス初期化の間に決定するようにさらに構成される、
請求項47に記載の装置。
【請求項５７】
前記マルチキャストスケジュールが、前記サービスに関するサービス識別子およびサービスインスタンス識別子と関連付けられる、
請求項47に記載の装置。
【請求項５８】
前記少なくとも1つのプロセッサが、前記サービスが1対多数のサービスであるか多数対多数のサービスであるかを、データリンク初期化プリミティブを通じたサービス初期化の間に、アプリケーション層またはサービス層から示すようにさらに構成される、
請求項47に記載の装置。
【請求項５９】
前記少なくとも1つのプロセッサが、前記サービスと関連付けられるマルチキャスト識別子を含むトラフィック告知を送信するようにさらに構成され、前記トラフィック告知が、データが前記サービスのために送信されることを示す、
請求項47に記載の装置。
【請求項６０】
ワイヤレス通信のための装置であって、
メモリと、
前記メモリに結合された少なくとも1つのプロセッサとを備え、前記少なくとも1つのプロセッサが、
近隣認識ネットワーキング(NAN)データリンク(NDL)を通じてサービスと関連付けられるデータを通信するためのマルチキャストスケジュールを要求するために第1のメッセージを第1のワイヤレスデバイスに送信することと、
前記送信されたメッセージに基づいて前記第1のワイヤレスデバイスから第2のメッセージを受信することであって、前記第2のメッセージが、前記NDLを通じて前記サービスと関連付けられるデータを通信するための前記マルチキャストスケジュールと、前記マルチキャストスケジュールが、前記サービスへのサブスクリプションを要求している他のワイヤレスデバイスへの伝播のためのものであることを示す情報とを含む、ことと、
を行うように構成される、装置。
【請求項６１】
前記マルチキャストスケジュールが前記サービスのサービス提供者から受け継がれる、
請求項60に記載の装置。
【請求項６２】
前記NDLに参加することについて前記第1のワイヤレスデバイスから認証を得ることに成功した後で、前記NDLに参加することについて第3のワイヤレスデバイスを認証することが許可される、
請求項60に記載の装置。
【請求項６３】
前記少なくとも1つのプロセッサが、前記第1のワイヤレスデバイスによって認証された後で共通グループ鍵(CGK)を受信するようにさらに構成され、前記CGKが、前記NDLと関連付けられるグループアドレス指定されたトラフィックを暗号化および復号するための単一認証グループの権限を有効にする、
請求項60に記載の装置。
【請求項６４】
前記マルチキャストスケジュールが不変のスケジュールである、
請求項60に記載の装置。
【請求項６５】
前記第1のワイヤレスデバイスが前記サービスのためのサービスアンカーであり、前記第1のワイヤレスデバイスが前記サービスと関連付けられる前記マルチキャストスケジュールを通信することを担う単独のエンティティである、
請求項60に記載の装置。
【請求項６６】
前記少なくとも1つのプロセッサが、前記サービスが1対多数のサービスであるか多数対多数のサービスであるかをサービス初期化の間に決定するようにさらに構成される、
請求項60に記載の装置。
【請求項６７】
前記少なくとも1つのプロセッサが、前記サービスが1対多数のサービスであるか多数対多数のサービスであるかを、データリンク初期化プリミティブを通じたサービス初期化の間に、アプリケーション層またはサービス層から示すようにさらに構成される、
請求項60に記載の装置。
【請求項６８】
前記少なくとも1つのプロセッサが、マルチキャストサービスと関連付けられるマルチキャスト識別子を含むトラフィック告知を受信するようにさらに構成され、前記トラフィック告知が、データが前記マルチキャストサービスのために送信されることを示す、
請求項60に記載の装置。
【請求項６９】
前記少なくとも1つのプロセッサが、前記受信されたトラフィック告知に基づいてスリープモードに入るかどうかを決定するようにさらに構成される、
請求項68に記載の装置。
【請求項７０】
コンピュータ可読記憶媒体上に記憶されたコードを有するコンピュータ可読記憶媒体であって、実行されたときに、前記コードが第1のワイヤレスデバイスに、
近隣認識ネットワーキング(NAN)データリンク(NDL)を通じてサービスと関連付けられるデータを通信するためのマルチキャストスケジュールを決定することと、
少なくとも1つの他のワイヤレスデバイスに前記マルチキャストスケジュールと、前記マルチキャストスケジュールが、前記サービスへのサブスクリプションを要求している他のワイヤレスデバイスへの伝播のためのものであることを示す情報とを送信することと、
を行わせる、コンピュータ可読記憶媒体。
【請求項７１】
コンピュータ可読記憶媒体上に記憶されたコードを有するコンピュータ可読記憶媒体であって、実行されたときに、前記コードが第1のワイヤレスデバイスに、
近隣認識ネットワーキング(NAN)データリンク(NDL)を通じてサービスと関連付けられるデータを通信するためのマルチキャストスケジュールを要求するためにメッセージを第2のワイヤレスデバイスに送信することと、
前記送信されたメッセージに基づいて前記第2のワイヤレスデバイスから第2のメッセージを受信することであって、前記第2のメッセージが、前記NDLを通じて前記サービスと関連付けられるデータを通信するための前記マルチキャストスケジュールを含む、ことと、
を行わせる、コンピュータ可読記憶媒体。
【請求項７２】
第1のワイヤレスデバイスによるワイヤレス通信の方法であって、
近隣認識ネットワーキング(NAN)データリンク(NDL)を通じてサービスと関連付けられるデータを通信するためのマルチキャストスケジュールを要求するために第1のメッセージを第2のワイヤレスデバイスに送信するステップと、
前記送信されたメッセージに基づいて前記第2のワイヤレスデバイスから第2のメッセージを受信するステップであって、前記第2のメッセージが、前記NDLを通じて前記サービスと関連付けられるデータを通信するための前記マルチキャストスケジュールを含む、ステップと、
前記第2のワイヤレスデバイスによって認証された後で共通グループ鍵(CGK)を受信するステップであって、前記CGKが、前記NDLと関連付けられるグループアドレス指定されたトラフィックを暗号化および復号するための単一認証グループの権限を有効にする、ステップと、
を備える、方法。
【請求項７３】
ワイヤレス通信のための装置であって、
近隣認識ネットワーキング(NAN)データリンク(NDL)を通じてサービスと関連付けられるデータを通信するためのマルチキャストスケジュールを要求するために第1のメッセージを第1のワイヤレスデバイスに送信するための手段と、
前記送信されたメッセージに基づいて前記第1のワイヤレスデバイスから第2のメッセージを受信するための手段であって、前記第2のメッセージが、前記NDLを通じて前記サービスと関連付けられるデータを通信するための前記マルチキャストスケジュールを含む、手段と、
前記第1のワイヤレスデバイスによって認証された後で共通グループ鍵(CGK)を受信するための手段であって、前記CGKが、前記NDLと関連付けられるグループアドレス指定されたトラフィックを暗号化および復号するための単一認証グループの権限を有効にする、手段と、
を備える、装置。
【請求項７４】
ワイヤレス通信のための装置であって、
メモリと、
前記メモリに結合された少なくとも1つのプロセッサとを備え、前記少なくとも1つのプロセッサが、
近隣認識ネットワーキング(NAN)データリンク(NDL)を通じてサービスと関連付けられるデータを通信するためのマルチキャストスケジュールを要求するために第1のメッセージを第1のワイヤレスデバイスに送信することと、
前記送信されたメッセージに基づいて前記第1のワイヤレスデバイスから第2のメッセージを受信することであって、前記第2のメッセージが、前記NDLを通じて前記サービスと関連付けられるデータを通信するための前記マルチキャストスケジュールを含む、ことと、
前記第1のワイヤレスデバイスによって認証された後で共通グループ鍵(CGK)を受信し、前記CGKが、前記NDLと関連付けられるグループアドレス指定されたトラフィックを暗号化および復号するための単一認証グループの権限を有効にする、ことと、
を行うように構成される、装置。